(57)【要約】      （修正有）【課題】主に身障者、老人が、室内、外で歩行、散歩時に使用する、下端にフックを設けた杖の提供。【解決手段】頂部にＴ字状の取手３を取り付けてある管状体２−１，２−２からなる杖の上部表面に、管状体の長手方向に沿って習動可能なノブ６を設け、管状体下部に、上部分が開閉可能で先端に屈曲部を有するフック８を設け、管状体内部でノブの脚部とフックを連結材で係合し、管状体下部表面にフック先端を収納する穴を設けたものである。【選択図】図１
0003121649.tif 000002
【実用新案登録請求の範囲】
【請求項１】
頂部にＴ字状の取手を取付けてある管状体からなる杖において、前記管状体上部表面に管状体の長手方向に沿って摺動可能なノブを設け、前記管状体下部に上部分が開閉可能で先端に屈曲部を有するフックを設け、前記管状体内部で、前記のノブ脚部と前記フックを連結材で係合し、前記管状体下部表面に、前記フック先端を収納する穴を設けたことを特徴とするフック付杖。
【考案の詳細な説明】
【技術分野】
【０００１】  本考案は、主に身障者、老人が、室内外で歩行、散歩時に使用する、下端にフックを設けた杖に関するものである。
【背景技術】
【０００２】  従来、杖の下部に突起、枝を付けたり、開閉できる把持部を設けた杖は、下記文献１〜４に開示されている。文献１は、取手部のレバーを操作することにより、杖の下端部を拡開して、杖使用時の安定感を増すものである。文献２、文献３は、杖に設けられた棒状のレバーを操作することにより、杖下端部に設けられた、くちばし状の掴み部を開閉して主に犬の糞を掴むものである。文献４は、下端部分が２本に枝分かれしており、その枝分かれしたところの一方に文献２、文献３と同様のくちばし状の開閉する掴み部が設けられている。
【文献１】
特開２００５−１７６９８３号
【文献２】
特開２００５−２２４２２６号
【文献３】
実用新案登録第３０４５９００号
【文献４】
実用新案登録第３０４９６０７号
【考案の開示】
【考案が解決しようとする課題】
【０００３】  上記文献２〜４に開示されているものは全て、下端部に開閉可能なつめ状の掴み部が設けられており、身障者、老人が日常、室内外で歩行、散歩等で使用するには見栄えが悪くて、安全に使いづらかった。【０００４】  本考案は、このような従来の杖の構成が有していた問題を解決しようとするものであり、身障者、老人が、誤って歩行中に落した帽子とかバック等の落下物を、容易に拾い上げることができ、安全に使用できる杖を提供することを目的とする。
【課題を解決するための手段】
【０００５】  本考案は、上記目的を達成するために、頂部にＴ字状の取手を取付けてある管状体からなる杖の上部表面に、管状体の長手方向に沿って摺動可能なノブを設け、管状体下部に、上部分が開閉可能で先端に屈曲部を有するフックを設け、管状体内部でノブの脚部とフックを連結材で係合し、管状体下部表面にフック先端を収納する穴を設けたものである。
【考案の効果】
【０００６】  上記のように、本考案のフック付杖は、杖の下部に設けられた、開閉可能なフックを操作するノブは、杖本体に軸着しており、外に拡開しておらず、フックは使用しない時は杖本体に接して、屈曲部を有する先端は杖本体に設けられた穴に収納されているため、障害者のみならず、老人、一般の人でも室内外で、歩行、散歩時に通常の杖としての使用にとどまらず、誤って帽子とか、バック等を落した時に、座り込まないで、立ったままで容易にノブを操作してフックを開き、引っ掛けて拾い上げることができる。
【考案を実施するための最良の形態】
【０００７】  頂部にＴ字状の取手を取付けてある管状体からなる杖の上部表面に、スリットを設け、そのスリットに、管状体の長手方向に沿って摺動可能なノブの脚部を挿入する。【０００８】  管状体下部表面に、フック開閉穴と、フック先端収納穴を設け、フック開閉穴近傍にフック取り付け輪を、管状体表面周に固定し、フック取り付け輪の間にフックを回動可能に取り付ける。【０００９】  ノブの脚部とフックの後部を管状体内部で、それぞれに設けた穴を使い、連結材で係合する。【００１０】  管状体下端に石突を設けて管状体の底面を閉じる。
【実施例】
【００１１】  以下、添付図面１〜１０に沿って本考案の実施例を説明する。本考案のフック付杖１の全体の構成は、頂部にＴ字状の取手３を設け、その下に杖本体（管状体）２が接続されている。杖本体（管状体）２は、管状の杖本体上２−１と杖本体上２−２が伸縮調節具４で接続されており、杖本体上２−２の下端には石突５が設けられている。【００１２】  頂部の取手３の材質は、木、プラスチックあるいは、アルミ等の加工し易いものを使用する。管状の杖本体上２−１、杖本体下２−２は、ステンレス、アルミニウム、鉄等の金属あるいは木等の硬質で軽量の材質を選ぶ。杖本体下２−２の下端に設ける石突５はゴムあるいはプラスチック製とする。【００１３】  図３のように、杖本体上２−１表面上で、取手３の下近傍に、杖本体長手方向に、ノブ６摺動用のノブ摺動用スリット１３を設ける。図４のように、このノブ摺動用スリット１３に、図９に示すノブ６の中央に穴の明いた脚部７を挿入する。ノブ６は直方体の形状をしており、プラスチック又は木製で、ノブ６の本体とノブ脚部７は、インサート又は、ねじ止め等で固定する。【００１４】  ノブ摺動用スリット１３と杖本体上２−１の直交する同一円周上に図１、図２のように作業穴１６を明け、これを利用して、ノブ脚部７と、連結材９の先端のリング部を、割りピン１１を使用して係合する。【００１５】  ノブ摺動用スリット１３の延長線上で、杖本体下２−２下部に図５、図６のようにフック開閉用穴１４を設ける。【００１６】  フック開閉用穴１４から、図６のようにフックの後端部１７を挿入し、杖本体下２−２底面から、連結材９の下端のリング部と、フックの後端部１７に明けられた穴１８を割りピン１１を使用して係合する。フック８にはストッパ部２０が設けてあり、杖本体２に対して直角以上には拡がらない形状になっている。フックの材質は、金属又はプラスチックの板材とし、連結材は金属製の棒鋼、ピアノ線等の撓まない素材とする。【００１７】  フック取付輪１０を、図３のように杖本体下２−２のフック開閉用穴１４の下に巻き付け、その先端部で、フック開閉穴１４から外に出ているフック８を挟み、フック取付輪１０の先端部の穴と、フック中央部穴１９を一致させ、割りピン１１または、ボルトナット１２を使用して係合する。フック取付輪１０の材質はプラスチック又は、金属の薄板加工品とする。【００１８】  図１、図２に示す杖本体上２−１に明けた、ノブ取り付け作業穴１６は、作業後ゴム又はプラスチック製の栓をする。【００１９】  図２で、ノブ６を上下に摺動して、フック８を従動させ、フック８が閉じた時に、屈曲したフック先端部が、図２、図５のように杖本体下に設けられた収納穴１５に収納されるように、伸縮調節具４を回転させて長さを調節する。その後杖本体２−２の下端に石突５を設ける。【００２０】  本考案は、上記のような構成からなるが、その使用法は次の通りである。
このフック付杖１を使用して、歩行、散歩中に誤って帽子、バック等を下に落した時に、図２のノブ６を上に摺動させて、図１のようにフック８を開き、フック８の屈曲した先端で落下物を引っ掛けて拾い上げる。その後、ノブ８を下に摺動させてフック８を元に戻し、屈曲した先端をフック収納穴１５に収納する。杖全体の長さが変わる場合は、連結材９を適切な長さのものに交換して対応すればよい。【００２１】  この実施例のノブ脚部７の穴と、ノブ取付け作業穴１６の間に引っ張りコイルバネを設け、ノブ摺動用スリット１３の形状を凸形に加工すれば、フック８を開くために、図２のノブ６を上向に摺動させ、管状体の円周方向に回転して、ノブ脚部７をノブ摺動用スリット１３の凹部に挿入すれば、フック８は手を放しても開いた状態を維持する。フック８を閉じるときは、ノブ８を逆に回転して凹部からノブ脚部７を外せば、コイルスプリングの力により復元し、フック先端屈曲部はフック先端収納穴に収納される。この、もう１つの実施例は容易に創造できる。
【図面の簡単な説明】
【００２２】
【図１】本考案の側面図（フック開時）
【図２】本考案の側面図（フック閉時）
【図３】本考案の正面図（フック閉時）
【図４】ノブと連結材接続詳細図
【図５】フックと連結材接続詳細図（フック閉時）
【図６】フックと連結材接続詳細図（フック開時）
【図７】フック正面図
【図８】フック取付輪斜視図
【図９】ノブ斜視図
【図１０】連結材正面図
【符号の説明】
【００２３】  １  本考案フック付杖
２  杖本体（管状体）
２−１杖本体上
２−２杖本体下
３  取手
４  伸縮調節具
５  石突
６  ノブ
７  ノブ脚部
８  フック
９  連結材
１０  フック取付輪
１１  割りピン
１２  ボルト、ナット
１３  ノブ摺動用スリット
１４  フック開閉穴
１５  フック先端収納穴
１６  ノブ取付作業穴
１７  フック後端部
１８  フック後端部穴
１９  フック中央部穴
２０  フックストッパ部
【図１】
0003121649.tif 000003
【図２】
0003121649.tif 000004
【図３】
0003121649.tif 000005
【図４】
0003121649.tif 000006
【図５】
0003121649.tif 000007
【図６】
0003121649.tif 000008
【図７】
0003121649.tif 000009
【図８】
0003121649.tif 000010
【図９】
0003121649.tif 000011
【図１０】
0003121649.tif 000012